【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
ロータ軸と、
高圧蒸気によって前記ロータ軸を回転させる高圧側タービンと、
前記高圧側タービンから排出された低圧蒸気によって前記ロータ軸を回転させる低圧側タービンと、
前記高圧側タービンと前記低圧側タービンとの間において前記ロータ軸の外周面と対向する内周面を形成し、前記高圧側タービンと前記低圧側タービンとの間を仕切るとともに、前記低圧側タービンへ前記高圧側タービンから排出された低圧蒸気を供給する低圧蒸気室の一部を形成する環状仕切部と、
前記環状仕切部の温度を計測する第１温度計測部と、
前記第１温度計測部が計測する温度が所定温度を下回るかどうかを判断する制御部とを備える蒸気タービン設備。
【請求項２】
前記制御部は、前記第１温度計測部が計測する温度が前記所定温度を下回ると判断した場合に前記ロータ軸の回転数を低下させるよう制御する請求項１に記載の蒸気タービン設備。
【請求項３】
前記制御部は、前記第１温度計測部が計測する温度が前記所定温度を下回る状態が所定時間に渡って継続した場合に前記ロータ軸の回転数を低下させるよう制御する請求項２に記載の蒸気タービン設備。
【請求項４】
前記低圧側タービンへ前記低圧蒸気を供給する流路へ前記所定温度より高温の暖気用蒸気を供給するか否かを切り換える切換弁を備え、
前記制御部は、前記第１温度計測部が計測する温度が前記所定温度を下回ると判断した場合に前記暖気用蒸気を前記流路へ供給するよう前記切換弁を制御する請求項１に記載の蒸気タービン設備。
【請求項５】
前記制御部は、前記第１温度計測部が計測する温度が前記所定温度を下回る状態が所定時間に渡って継続した場合に前記暖気用蒸気を前記流路へ供給するよう前記切換弁を制御する請求項４に記載の蒸気タービン設備。
【請求項６】
前記高圧側タービンと前記低圧側タービンと前記環状仕切部とを収容する車室と、
前記車室うち前記環状仕切部を収容する部分の内周面の温度を計測する第２温度計測部とを備え、
前記所定温度は、前記第２温度計測部が計測する温度または前記第２温度計測部が計測する温度から閾値温度を減算した温度である請求項１から請求項５のいずれか１項に記載の蒸気タービン設備。
【請求項７】
前記第１温度計測部は、前記環状仕切部の外周面と前記車室の内周面により挟まれた空間であって前記低圧蒸気室と連通していない空間の温度を計測する請求項６に記載の蒸気タービン設備。
【請求項８】
請求項１に記載の蒸気タービン設備と、
前記蒸気タービン設備が発生する回転動力によって推進力を発生させる推進器とを備える船舶。
【請求項９】
ロータ軸と、高圧蒸気によって前記ロータ軸を回転させる高圧側タービンと、前記高圧側タービンから排出された低圧蒸気によって、前記ロータ軸を回転させる低圧側タービンと、前記高圧側タービンと前記低圧側タービンとの間において前記ロータ軸の外周面と対向する内周面を形成し、前記高圧側タービンと前記低圧側タービンとの間を仕切るとともに、前記低圧側タービンへ前記高圧側タービンから排出された低圧蒸気を供給する低圧蒸気室の一部を形成する環状仕切部とを備える蒸気タービン設備の制御方法であって、
前記環状仕切部の温度を計測する第１温度計測工程と、
前記第１温度計測工程が計測する温度が所定温度を下回るかどうかを判断する制御工程とを備える蒸気タービン設備の制御方法。
【請求項１０】
前記制御工程は、前記第１温度計測工程が計測する温度が所定温度を下回ると判断した場合に前記ロータ軸の回転数を低下させるよう制御する請求項９に記載の蒸気タービン設備の制御方法。
【請求項１１】
前記蒸気タービン設備は、前記低圧側タービンへ前記低圧蒸気を供給する流路へ所定温度より高温の暖気用蒸気を供給するか否かを切り換える切換弁を備え、
前記制御工程は、前記第１温度計測工程が計測する温度が前記所定温度を下回ると判断した場合に前記暖気用蒸気を前記流路へ供給するよう前記切換弁を制御する請求項９に記載の蒸気タービン設備の制御方法。
【手続補正２】
【補正対象書類名】明細書
【補正対象項目名】０００７
【補正方法】変更
【補正の内容】
【０００７】
上記目的を達成するために、本発明は、以下の手段を採用する。
本発明の第１態様に係る蒸気タービン設備は、ロータ軸と、高圧蒸気によって前記ロータ軸を回転させる高圧側タービンと、前記高圧側タービンから排出された低圧蒸気によって前記ロータ軸を回転させる低圧側タービンと、前記高圧側タービンと前記低圧側タービンとの間において前記ロータ軸の外周面と対向する内周面を形成し、前記高圧側タービンと前記低圧側タービンとの間を仕切るとともに、前記低圧側タービンへ前記高圧側タービンから排出された低圧蒸気を供給する低圧蒸気室の一部を形成する環状仕切部と、前記環状仕切部の温度を計測する第１温度計測部と、前記第１温度計測部が計測する温度が所定温度を下回るかどうかを判断する制御部とを備える。
【手続補正３】
【補正対象書類名】明細書
【補正対象項目名】０００８
【補正方法】変更
【補正の内容】
【０００８】
本発明の第１態様に係る蒸気タービン設備は、高圧側タービンと低圧側タービンとの間を仕切る環状仕切部が低圧蒸気室の一部を形成している。そのため、低圧蒸気が供給される流路に何らかの要因で低温の媒体が存在し、この媒体が低圧側タービンに流入すると低圧蒸気室の一部を形成する環状仕切部が冷却される。
本発明の第１態様に係る蒸気タービン設備によれば、第１温度計測部が計測する環状仕切部の温度が所定温度（例えば、環状仕切部を収容する車室の内周面の温度）を下回ると制御部が判断する場合、例えば、制御部がロータ軸の回転数を低下させるよう制御する。そのため、低温の媒体の流入が発生して環状仕切部が熱収縮を生じる場合であっても、環状仕切部の内周面がロータ軸に接触して振動や騒音が発生する不具合、あるいはロータ軸が損傷する不具合を抑制することができる。
【手続補正４】
【補正対象書類名】明細書
【補正対象項目名】００１０
【補正方法】変更
【補正の内容】
【００１０】
本発明の第１態様に係る蒸気タービン設備は、前記低圧側タービンへ前記低圧蒸気を供給する流路へ前記所定温度より高温の暖気用蒸気を供給するか否かを切り換える切換弁を備え、前記制御部は、前記第１温度計測部が計測する温度が前記所定温度を下回る場合に前記暖気用蒸気を前記流路へ供給するよう前記切換弁を制御する構成としてもよい。
【手続補正５】
【補正対象書類名】明細書
【補正対象項目名】００１１
【補正方法】変更
【補正の内容】
【００１１】
上記構成の蒸気タービン設備によれば、第１温度計測部が計測する環状仕切部の温度が所定温度（例えば、環状仕切部を収容する車室の内周面の温度）を下回る場合、制御部が低圧蒸気を供給する流路へ暖気用蒸気を供給するよう切換弁を制御する。そのため、低圧蒸気室に流入する低温の媒体に所定温度より高温の暖気用蒸気が混合され、環状仕切部が熱収縮することが抑制される。よって、環状仕切部の内周面に配されたラビリンス部がロータ軸に接触して振動や騒音が発生する不具合、あるいはロータ軸が損傷する不具合を抑制することができる。
【手続補正６】
【補正対象書類名】明細書
【補正対象項目名】００１２
【補正方法】変更
【補正の内容】
【００１２】
上記構成の蒸気タービン設備において、前記制御部は、前記第１温度計測部が計測する温度が前記所定温度を下回る状態が所定時間に渡って継続した場合に前記暖気用蒸気を前記流路へ供給するよう前記切換弁を制御するようにしてもよい。
このようにすることで、第１温度計測部が計測する温度が前記所定温度を下回る状態が所定時間に渡って継続し、環状仕切部が熱収縮する可能性が極めて高い場合に、低圧蒸気を供給する流路へ暖気用蒸気を供給するよう切換弁を制御することができる。
【手続補正７】
【補正対象書類名】明細書
【補正対象項目名】００１６
【補正方法】変更
【補正の内容】
【００１６】
本発明の第１態様に係る蒸気タービン設備の制御方法は、ロータ軸と、高圧蒸気によって前記ロータ軸を回転させる高圧側タービンと、前記高圧側タービンから排出された低圧蒸気によって前記ロータ軸を回転させる低圧側タービンと、前記高圧側タービンと前記低圧側タービンとの間において前記ロータ軸の外周面と対向する内周面を形成し、前記高圧側タービンと前記低圧側タービンとの間を仕切るとともに、前記低圧側タービンへ前記高圧側タービンから排出された低圧蒸気を供給する低圧蒸気室の一部を形成する環状仕切部とを備える蒸気タービン設備の制御方法であって、前記環状仕切部の温度を計測する第１温度計測工程と、前記第１温度計測工程が計測する温度が所定温度を下回るかどうかを判断する制御工程とを備える。
【手続補正８】
【補正対象書類名】明細書
【補正対象項目名】００１７
【補正方法】変更
【補正の内容】
【００１７】
本発明の第１態様に係る蒸気タービン設備の制御方法によれば、第１温度計測工程が計測する環状仕切部の温度が所定温度（例えば、環状仕切部を収容する車室の内周面の温度）を下回ると制御工程が判断する場合、例えば、制御工程がロータ軸の回転数を低下させるよう制御する。そのため、低温の媒体の流入によって環状仕切部が熱収縮する場合であっても、環状仕切部の内周面に配されたラビリンス部がロータ軸に接触して振動や騒音が発生する不具合、あるいはロータ軸が損傷する不具合を抑制することができる。
【手続補正９】
【補正対象書類名】明細書
【補正対象項目名】００１８
【補正方法】変更
【補正の内容】
【００１８】
本発明の第１態様に係る蒸気タービン設備の制御方法において、前記蒸気タービン設備は、前記低圧側タービンへ前記低圧蒸気を供給する流路へ所定温度より高温の暖気用蒸気を供給するか否かを切り換える切換弁を備え、前記制御工程は、前記第１温度計測工程が計測する温度が前記所定温度を下回る場合に前記暖気用蒸気を前記流路へ供給するよう前記切換弁を制御する構成としてもよい。
【手続補正１０】
【補正対象書類名】明細書
【補正対象項目名】００１９
【補正方法】変更
【補正の内容】
【００１９】
上記構成の蒸気タービン設備の制御方法によれば、第１温度計測工程が計測する環状仕切部の温度が所定温度（例えば、環状仕切部を収容する車室の内周面の温度）を下回る場合、制御工程が低圧蒸気を供給する流路へ暖気用蒸気を供給するよう切換弁を制御する。そのため、低圧蒸気室に流入する低温の媒体に所定温度より高温の暖気用蒸気が混合され、環状仕切部が熱収縮することが抑制される。よって、環状仕切部の内周面に配されたラビリンス部がロータ軸に接触して振動や騒音が発生する不具合、あるいはロータ軸が損傷する不具合を抑制することができる。